(57)【特許請求の範囲】
【請求項１】
下部昇降路枠、中間部昇降路枠及び上部昇降路枠が積み重ねられて構成されるエレベーターの昇降路、上記エレベーターの据付基準位置が設けられた芯出型板を上記下部昇降路枠及び上部昇降路枠のそれぞれに装着する第一工程と、上記下部昇降路枠を所定位置に据付けることによって下部の上記芯出型板が所定位置に配置され、上記下部昇降路枠の上に上記中間部昇降路枠を据付け、この中間部昇降路枠の上に上記上部昇降路枠を順次据付けることによって上部の上記芯出型板が所定位置に配置される第二工程と、上記下部昇降路枠及び上部昇降路枠それぞれの上記芯出型板の相互間に上記据付基準位置に対応した基準線材を張設し、この基準線材を介して上記エレベーターの部材を据付ける第三工程とからなるエレベーターの据付工法。
【請求項２】
芯出型板を、下部昇降路枠の下部開口部及び上部昇降路枠の上部開口部をそれぞれ覆って設けられて対応した昇降路枠に装着されたものとしたことを特徴とする請求項１記載のエレベーターの据付工法。
【請求項３】
芯出型板を、棒状をなす複数の型板部材が平面において三角形状に組立てられて形成されたものとしたことを特徴とする請求項１記載のエレベーターの据付工法。
【発明の詳細な説明】
【０００１】
【発明の属する技術分野】
この発明は、複数の昇降路枠が積み重ねられて構成された昇降路に設置されるるエレベーターの据付工法に関する。
【０００２】
【従来の技術】
図４は、例えば特開平５−２４６６４９号公報に示された構成に類似した従来のエレベーターの据付工法を示す昇降路の斜視図である。図において、１はエレベーターが設置される建物（図示しない）に設けられた縦坑からなる昇降路、２はエレベーターの据付基準位置３が設けられた芯出型板で、昇降路１の上部及び下部にそれぞれ仮設される。
【０００３】
４は上下に離れた芯出型板２の据付基準位置３の相互間に張設されたピアノ線からなる基準線材、５は基準線材４を介して昇降路１の所定位置に立設されたレールからなるエレベーターの部材、６は部材５に案内されて昇降路１の所定経路を昇降するかごである。
【０００４】
上記のような構成において従来のエレベーターの据付工法では、先ず芯出型板２が昇降路１の上部及び下部にそれぞれ配置されて、以後に昇降路１内に据付けられる部材５等の機器に対して邪魔にならない位置に仮設される。次いで、基準線材４が芯出型板２の相互間に張設され、この基準線材４を介して部材５等の機器が所定位置に据付けられる。
【０００５】
【発明が解決しようとする課題】
上記のような従来のエレベーターの据付工法では、昇降路１へのエレベーターの部材５等の機器搬入に先立って、芯出型板２が昇降路１の所定位置に仮設される。この芯出型板２仮設のための作業用の足場の設置、昇降路１に対する芯出型板２の固定作業等の煩雑な作業を要するという問題点があった。
【０００６】
この発明は、かかる問題点を解消するためになされたものであり、昇降路に対する所定位置に芯出型板を容易に装備することができるエレベーターの据付工法を得ることを目的とする。
【０００７】
【課題を解決するための手段】
この発明に係るエレベーターの据付工法においては、下部昇降路枠、中間部昇降路枠及び上部昇降路枠が積み重ねられて構成されるエレベーターの昇降路、エレベーターの据付基準位置が設けられた芯出型板を下部昇降路枠及び上部昇降路枠のそれぞれに装着する第一工程と、下部昇降路枠を所定位置に据付けることによって下部の芯出型板が所定位置に配置され、下部昇降路枠の上に中間部昇降路枠を据付け、この中間部昇降路枠の上に上部昇降路枠を順次据付けることによって上部の芯出型板が所定位置に配置される第二工程と、下部昇降路枠及び上部昇降路枠それぞれの芯出型板の相互間に据付基準位置に対応した基準線材を張設し、この基準線材を介してエレベーターの部材を据付ける第三工程とによる据付作業が行われる。
【０００８】
また、この発明に係るエレベーターの据付工法においては、下部昇降路枠の下部開口部及び上部昇降路枠の上部開口部をそれぞれ覆って設けられて対応した昇降路枠に装着された芯出型板が設けられる。
【０００９】
また、この発明に係るエレベーターの据付工法においては、棒状をなす複数の型板部材が平面において三角形状に組立てられて形成された芯出型板が設けられる。
【００１０】
【発明の実施の形態】
実施の形態１．
図１は、この発明の実施の形態の一例を示す昇降路の斜視図である。図において、７はエレベーターが設置される建物に設けられた縦坑に据付けらる昇降路で、昇降路７下部に据付けられる下部昇降路枠８、下部昇降路枠８の上に据付けられる中間部昇降路枠９及び中間部昇降路枠９の上に据付けられる上部昇降路枠１０によって構成されている。
【００１１】
１１はエレベーターの据付基準位置３が設けられた芯出型板で、下部昇降路枠８の下部及び上部昇降路枠１０の上部にそれぞれ設けられている。４は上下に離れた芯出型板１１の据付基準位置３の相互間に張設されたピアノ線からなる基準線材、５は基準線材４を介して昇降路１の所定位置に立設されたレールからなるエレベーターの部材、６は部材５に案内されて昇降路７の所定経路を昇降するかごである。
【００１２】
上記のような構成において次に述べるようにしてエレベーターの据付作業が行われる。すなわち、下部昇降路枠８等を建物に設けられた縦坑に搬入する前に、据付基準位置３が設けられた芯出型板１１を、下部昇降路枠８の下部及び上部昇降路枠１０の上部のそれぞれに対して所定位置に装着する第一工程の作業が行われる。
【００１３】
次に、下部昇降路枠８を建物に設けられた縦坑に搬入して所定位置に据付け、下部昇降路枠８の上に中間部昇降路枠９を据付け、この中間部昇降路枠９の上に上部昇降路枠１０を据付けて昇降路７を組立てる第二工程の作業が行われる。次いで、下部昇降路枠８及び上部昇降路枠１０それぞれの芯出型板１１の相互間に据付基準位置３に対応して基準線材４を張設し、この基準線材４を介してエレベーターの部材５等の機器を据付ける第三工程の作業が行われる。
【００１４】
上記のような作業工程によって、下部昇降路枠８を所定位置に据付けることによって下部の芯出型板１１が所定位置に配置され、中間部昇降路枠９、上部昇降路枠１０を順次据付けることによって上部の芯出型板１１が所定位置に配置される。
【００１５】
このため、エレベーターが設置される建物に設けられた縦坑にエレベーターの部材５等の機器搬入に先立って芯出型板１１を仮設する必要がなく、芯出型板２を設けるための作業用の足場の設置、縦坑に対する芯出型板１１の固定作業等の煩雑な作業が解消される。これによって、芯出型板１１を所定位置に容易に装備することができ、据付作業の手数を省くことができてエレベーターの据付費を節減することができる。
【００１６】
実施の形態２．
図２は、この発明の他の実施の形態の一例を示す昇降路の斜視図である。図において、前述の図１と同符号は相当部分を示し、１２はエレベーターの据付基準位置３が設けられた芯出型板で、下部昇降路枠８の下部開口部及び上部昇降路枠１０の上部開口部をそれぞれ覆って配置されて、対応した昇降路枠に装着されている。
【００１７】
上記のような構成において前述の図１の実施の形態と同様にエレベーターの据付作業が行われる。したがって、詳細な説明を省略するが図２の実施の形態においても図１の実施の形態と同様な作用が得られる。
また、図２の実施の形態において芯出型板１２が昇降路枠の開口部を覆って設けられるので、芯出型板１２を外装板と兼用することができ費用を節減することができる。
【００１８】
実施の形態３．
図３も、この発明の他の実施の形態の一例を示す昇降路の要部平面図である。図において、前述の図１と同符号は相当部分を示し、１３は芯出型板で、横断面において昇降路７を横切って配置されかご６のレールからなる第一部材５に対応した第一種据付基準位置３が設けられた第一種型板部材１４並びにボルト及びナットからなり第一種型板部材１４の長手両端部をそれぞれ下部昇降路枠８の下部又は上部昇降路枠１０の上部に締結する第一種締結具１５が設けられる。
【００１９】
さらに、芯出型板１３には二本の棒材からなりつり合おもり１６のレールからなる第一部材１７に対応した第二種据付基準位置１８が設けられた第二種型板部材１９、ボルト及びナットからなり第二種型板部材１９の長手の一端を相互に締結する第二種締結具２０並びにボルト及びナットからなり第二種型板部材１９の長手の他端をそれぞれ第一種型板部材１４の長手端部寄り位置に締結する第三種締結具２１が設けられる。
【００２０】
上記のような構成において、第一種型板部材１４及び二本の第二種型板部材１９が平面において三角形状に組立てられて芯出型板１３が構成される。そして、前述の図１の実施の形態と同様にエレベーターの据付作業が行われる。したがって、詳細な説明を省略するが図３の実施の形態においても図１の実施の形態と同様な作用が得られる。
【００２１】
また、図３の実施の形態において芯出型板１３が、第一種型板部材１４及び二本の第二種型板部材１９によって構成される。このため、芯出型板１３を第一種型板部材１４及び二本の第二種型板部材１９に分割して容易に搬送することができる。また、第一種型板部材１４及び二本の第二種型板部材１９が平面において三角形状に組立てられてなる芯出型板１３が下部昇降路枠８等の対応した昇降路枠に締結されるので、据付基準位置を高精度で所定位置に設定することができエレベーターの据付精度を向上することができる。
【００２２】
【発明の効果】
この発明は以上説明したように、下部昇降路枠、中間部昇降路枠及び上部昇降路枠が積み重ねられて構成されるエレベーターの昇降路、エレベーターの据付基準位置が設けられた芯出型板を下部昇降路枠及び上部昇降路枠のそれぞれに装着する第一工程と、下部昇降路枠を所定位置に据付けることによって下部の芯出型板が所定位置に配置され、下部昇降路枠の上に中間部昇降路枠を据付け、この中間部昇降路枠の上に上部昇降路枠を順次据付けることによって上部の芯出型板が所定位置に配置される第二工程と、下部昇降路枠及び上部昇降路枠それぞれの芯出型板の相互間に据付基準位置に対応した基準線材を張設し、この基準線材を介してエレベーターの部材を据付ける第三工程とによる据付作業を行うものである。
【００２３】
これによって、下部昇降路枠を所定位置に据付けることによって下部の芯出型板が所定位置に配置され、中間部昇降路枠、上部昇降路枠を順次据付けることによって上部の芯出型板が所定位置に配置される。このため、エレベーターが設置される建物に設けられた縦坑に、エレベーターの部材等の機器の搬入の前に芯出型板を仮設する必要がなく、芯出型板仮設のための作業用の足場の設置、縦坑に対する芯出型板の固定作業等の煩雑な作業を解消することができ、所定位置に芯出型板を容易に設けることができて、据付作業を省力化でき据付費を節減する効果がある。
【００２４】
また、この発明は以上説明したように、下部昇降路枠の下部開口部及び上部昇降路枠の上部開口部をそれぞれ覆って設けられて対応した昇降路枠に装着された芯出型板を設けたものである。
【００２５】
これによって、下部昇降路枠を所定位置に据付けることによって下部の芯出型板が所定位置に配置され、中間部昇降路枠、上部昇降路枠を順次据付けることによって上部の芯出型板が所定位置に配置される。このため、エレベーターが設置される建物に設けられた縦坑に、エレベーターの部材等の機器の搬入の前に芯出型板を仮設する必要がなく、芯出型板仮設のための作業用の足場の設置、縦坑に対する芯出型板の固定作業等の煩雑な作業を解消することができ、所定位置に芯出型板を容易に設けることができて、据付作業を省力化でき据付費を節減する効果がある。
また、芯出型板が昇降路枠の開口部を覆って設けられるので、芯出型板を外装板と兼用することができ費用を節減する効果がある。
【００２６】
また、この発明は以上説明したように、棒状をなす複数の型板部材が平面において三角形状に組立てられて形成された芯出型板を設けたものである。
【００２７】
これによって、下部昇降路枠を所定位置に据付けることによって下部の芯出型板が所定位置に配置され、中間部昇降路枠、上部昇降路枠を順次据付けることによって上部の芯出型板が所定位置に配置される。このため、エレベーターが設置される建物に設けられた縦坑に、エレベーターの部材等の機器の搬入の前に芯出型板を仮設する必要がなく、芯出型板仮設のための作業用の足場の設置、縦坑に対する芯出型板の固定作業等の煩雑な作業を解消することができ、所定位置に芯出型板を容易に設けることができて、据付作業を省力化でき据付費を節減する効果がある。
また、棒状をなす複数の型板部材を平面において三角形状に組立てられて、芯出型板が形成され対応した昇降路枠に締結される。このため、据付基準位置を高精度で所定位置に設定することができエレベーターの据付精度を向上する効果がある。
【図面の簡単な説明】
【図１】  この発明の実施の形態１を示す昇降路の斜視図。
【図２】  この発明の実施の形態２を示す昇降路の斜視図。
【図３】  この発明の実施の形態３を示す昇降路の要部平面図。
【図４】  従来のエレベーターの据付工法を示す昇降路の斜視図。
【符号の説明】
３  据付基準位置、４  基準線材、７  昇降路、８  下部昇降路枠、９  中間部昇降路枠、１０  上部昇降路枠、１１  芯出型板、１２  芯出型板、１３  芯出型板、１４  第一種型板部材、１９  第二種型板部材。
【図１】
0004265832.tif 000002
【図２】
0004265832.tif 000003
【図３】
0004265832.tif 000004
【図４】
0004265832.tif 000005